(57)【要約】      （修正有）【課題】電子部品を印刷配線基板に接続する簡易な電子部品用ソケットの提供。【解決手段】ケースと、ケースによって囲われ、複数の電極３３を有する配線基板と複数の電極２３を有する電子部品を共に装着可能な孔１７と、孔１７の内部に向かって突出する弾性変形可能な複数の突出片と、孔１７に収納した電子部品と係合可能な係止片とを有し、突出片に配線基板の外面３９を対面させて収納し、配線基板の内面３８に設けられた電極３３に電子部品の電極２３を対面させて収納し、係止片の係止によって配線基板と電子部品を装着し、配線基板の電極３３と電子部品の電極２３を各々電気的に接続させるソケットにおいて、突出片と係止片は、ケースと一体に形成される構成とする。【選択図】図７
2008277187.tif 000002
【特許請求の範囲】
【請求項１】
ケースと、該ケースによって囲われ、複数の電極を有する配線基板と複数の電極を有する電子部品を共に収納して装着可能な凹部と、該凹部の内部に向かって突出する弾性変形可能な複数の突出片と、該凹部に収納した前記電子部品に係止可能な係止片とを有し、前記突出片に前記配線基板の裏面を対面させて該配線基板を収納し、該配線基板の表面に設けられた電極に前記電子部品の電極を対面させて該電子部品を収納し、前記係止片の係止が成されることにより、前記配線基板と前記電子部品が前記突出片と前記係止片の間に挟持され、前記配線基板の電極と前記電子部品の電極とが各々電気的に接続されることによって、前記配線基板と電子部品を装着するソケットであって、前記突出片と前記係止片は、前記ケースと一体に形成されることを特徴とするソケット。
【請求項２】
前記配線基板の装着時に、前記ケースは前記配線基板に設けられた凹部内に進入可能な仮止片を有することを特徴とする請求項１記載のソケット。
【請求項３】
底壁と、該底壁の四辺から垂直に立ち上がる四つの側壁との五つの壁から成る前記ケースを有する前記ソケットの前記配線基板と前記電子部品の装着構造であって、前記配線基板は、可撓性薄板帯状であって、一対の対面関係にある前記側壁に各々平行となる第一、第二の収納側部と、該一対の側壁を繋ぐ前記壁に平行となる収納載置部とに折曲加工されて前記凹部内に収納されて装着されており、前記第一、第二の収納側部及び前記収納載置部の裏面が前記一対の対面する側壁及び前記一対の側壁を繋ぐ壁に各々対面する状態で、配線基板は収納されて装着され、前記第一、第二の収納側部及び収納載置部の表面に囲われた前記凹部に、前記電子部品を収納して装着することを特徴とする請求項１、２記載のソケットの配線基板と電子部品の装着構造。
【請求項４】
前記一対の側壁を繋ぐ壁は、前記底壁であることを特徴とする請求項３記載のソケットの配線基板と電子部品の接続構造。  
【発明の詳細な説明】
【技術分野】
【０００１】
この発明は、薄板状の屈曲可能な配線基板（Flexible Printed Cable、略してFPC）と、例えば携帯機器用の撮像機能を有するモジュールなどの電子部品を接続するソケットに関する。
【背景技術】
【０００２】
ＦＰＣと、カメラモジュール等の電子部品を接続する従来のソケットは、下記に記載する特開２００３−９２１６８号公報に開示される様なソケットが知られている。
【０００３】
図１３に示す通り、カメラモジュール２及びＦＰＣ３を装着するソケット１０１は、筐体を構成する絶縁樹脂性のハウジング１０２及びハウジング１０２に保持される複数のコンタクト１０３と係止片１０４とからなっている。ハウジング１０２に囲われた凹部１０７に、ＦＰＣ３の先端を折曲して形成した収納載置部３１を該凹部１０７の開口から下方に挿入して収納し、該ＦＰＣ３の表面３８に更にカメラモジュール２を重ねて挿入する。カメラモジュール２の鍔部２４が摺動部１０４ａ上を滑って降下しながら係止片１０４を外方に変位させ、鍔部２４が摺動部１０４ａ表面を降下しきると係止片１０４が弾性復帰し、鍔部２４の被係止部２４ａに係止片１０４の係止面１０４ｂが係合して装着が完了する。この時電子部品２の底面２５に露出する複数の電極（図示無し）と、対応するＦＰＣ３の表面３８に露出する複数の電極（図示無し）が対面し、ＦＰＣ３の裏面３９をコンタクト１０３の接触部１０３ａが各々押圧して、電子部品２の電極（図示無し）と対応するＦＰＣ３の電極（図示無し）を各々弾性接触させる。
【特許文献１】特開２００５−２２８５６７号公報
【発明の開示】
【発明が解決しようとする課題】
【０００４】
しかしながら、従来のソケット１０１では、ハウジング１０２にコンタクト１０３を組み込んでいるので、例えばハウジング１０２上の基準面からコンタクト１０３の接触部１０３ａまでの厳重管理が必要な寸法のばらつきを小さくするには限界があり、小型化が進むにつれ接触可能範囲内に寸法を管理するのは多大な負担になっている。また、環境保全の観点においても、絶縁性樹脂から成るハウジング１０２と導電性金属から成るコンタクト１０３や係止片１０４などが複合して組み立てられているので、廃棄処分する際に分別が必要となる。
【課題を解決するための手段】
【０００５】
この課題を解決するために、ケースと、ケースによって囲われ、複数の電極を有する配線基板と複数の電極を有する電子部品を共に収納して装着可能な凹部と、凹部の内部に向かって突出する弾性変形可能な複数の突出片と、凹部に収納した電子部品に係止可能な係止片とを有し、突出片に配線基板の裏面を対面させて配線基板を収納し、配線基板の表面に設けられた電極に電子部品の電極を対面させて電子部品を収納し、係止片の係止が成されることにより、配線基板と電子部品が突出片と係止片の間に挟持され、配線基板の電極と電子部品の電極とが各々電気的に接続されることによって、配線基板と電子部品を装着するソケットであって、突出片と係止片は、ケースと一体に形成されることを特徴とするソケット及び、
【０００６】
ケースは、配線基板の装着時に、配線基板に設けられた孔内に進入可能な仮止片を有することを特徴とするソケット並びに、
【０００７】
底壁と、底壁の四辺から垂直に立ち上がる四つの側壁との五つの壁から成るケースを有するソケットの配線基板と電子部品の装着構造であって、配線基板は、可撓性薄板帯状であって、一対の対面関係にある側壁に各々平行となる第一、第二の収納側部と、一対の側壁を繋ぐ壁に平行となる収納載置部とに折曲加工されて凹部内に収納されて装着されており、第一、第二の収納側部及び収納載置部の裏面が一対の対面する側壁及び一対の側壁を繋ぐ壁に各々対面する状態で、配線基板は収納されて装着され、第一、第二の収納側部及び収納載置部の表面に囲われた凹部に、電子部品を収納して装着することを特徴とする配線基板と電子部品の装着構造及び、
【０００８】
一対の側壁を繋ぐ壁は、底壁である配線基板と電子部品の装着構造を備えるソケットを提供する。 
【発明の効果】
【０００９】
この発明によれば、ソケットを一つの材質によって一体で成型できるので、寸法のばらつきを小さくでき、簡易なソケットとすることができる。また、分別や廃棄処分が容易である。更に、装着時、配線基板が引っ張られても、ソケットの仮止片が配線基板の孔に進入しているので変位を妨害し、安易に配線基板は抜けない。また、配線基板の装着がし易く、凹部内への位置決め精度が良い。
【発明を実施するための最良の形態】
【００１０】
以下に、この発明の第１の実施形態のソケットの正面図を表す図１（ａ）、同ソケットの背面図を表す図１（ｂ）、同ソケットの平面図を表す図１（ｃ）（底面図は平面図と対象に表れるので省略）、同ソケットの右側面図を表す図１（ｄ）（左側面図は右側面図と対象に表れるので省略）、同ソケットの上方斜視図を表す図２（ａ）、同ソケットの下方斜視図を表す図２（ｂ）、図１（ａ）に記載されるＡ−Ａ断面を表す図３（ａ）、図１（ａ）に記載されるＢ−Ｂ断面を表す図３（ｂ）、図１（ａ）に記載されるＣ−Ｃ断面を表す図３（ｃ）、同ソケットに装着されるカメラモジュールの正面図を表す図４（ａ）、同カメラモジュールの右側面図を表す図４（ｂ）、同カメラモジュールの背面図を表す図４（ｃ）、同ソケットに装着されるＦＰＣの正面図を表す図５（ａ）、同ＦＰＣの底面図を表す図５（ｂ）、同ソケットに同ＦＰＣの収納時における図１（ａ）記載のＡ−Ａ断面図を表す図６（ａ）、該収納時における図１（ａ）記載のＢ−Ｂ断面図を表す図６（ｂ）、同ソケットへの同カメラモジュール装着過程における図１（ａ）記載のＣ−Ｃ断面図を表す図７（ａ）、該装着過程における同図記載のＢ−Ｂ断面図を表す図７（ｂ）に基づいてこの発明の第１の実施形態を説明する。
【００１１】
図１に表す１は、本発明に係る第一実施例のソケットである。該ソケット１は、電子部品の一種であるカメラモジュール２と配線基板の一種であるＦＰＣ３とを電気的に接続するものであって、ケース１２、突出片１３、係止片１４、補正片１５及び仮止片１６を備える。
【００１２】
ケース１２は、導電性金属板をプレス加工したものに例えばニッケルめっき等の防錆性や防腐性のあるめっき処理を行ったものであって、主に底壁１２ｂと該底壁１２ｂの４辺から垂直に立ち上がる４つの側壁１２ａとの５つの壁からなる箱形状を成している。凹部１７は、側壁１２ａの内側面１２ａａと底壁１２ｂの内底面１２ｂｂとによって囲われた空間であって、上方に開口する開口１７ａによって外部に開口し、カメラモジュール２及びＦＰＣ３を収納できる収納空間となる。ここで上方は、図面で定義している背面から正面に垂直に向かう方向である。下方は、図面で定義している正面から背面に垂直に向かう方向である。前方は、図面で定義している平面から底面に垂直に向かう方向である。後方は、図面で定義している底面から平面に垂直に向かう方向である。右方は、図面で定義している左側面から右側面に垂直に向かう方向である。左方は、図面で定義している右側面から左側面に垂直に向かう方向である。
【００１３】
突出片１３は、カメラモジュール２の後述する電極２３と同数設けられており、底壁１２ｂを略コ字状に各々切り欠き、底壁１２ｂから凹部１７内に向かって突出している。突出片１３は、底壁１２ｂに連続して斜め上方に立ち上がった弾性変形部１３ａと、弾性変形部１３ａの略先端に位置する押圧部１３ｂとから成る。    押圧部１３ｂは、装着したカメラモジュール２の後述する底面２５とによって、ＦＰＣ３の後述する収納載置部３１を挟持可能としている。更に押圧部１３ｂは、装着したカメラモジュール２の後述する電極３３と上方もしくは下方投影で重なる位置に設けているので、押圧部１３ｂは収納載置部３１を介して電極２３を押圧可能としている。
【００１４】
係止片１４は、側壁１２ａを略コ字状に切り欠いて折曲し、側壁１２ａから凹部１７内に向かって突出しており、装着したカメラモジュール２に係止するものである。係止片１４は、側壁１２ａから連続して斜め下方に向かって立ち上がる弾性変形可能な摺動部１４ａと、カメラモジュール２の後述する被係止部２４ａに係合可能な係止面１４ｂとから成る。摺動部１４ａは、凹部１７において下方に向かうに従って突出量が大きくなる傾斜部１４ａａを有し、最も突出する部位から折曲され、係止面１４ｂと連通している。係止片１４は、対面する一対の側壁１２ａにそれぞれ二つずつ設けられている。
【００１５】
補正片１５は、装着時のカメラモジュール２を偏らずに凹部１７の中心に位置させるべく、カメラモジュール２を押圧可能に凹部１７内に向かって突出している。補正片１５は、側壁１２ａから連続して斜め下方に向かって立ち上がる弾性変形可能な摺動部１５ａと、該摺動部１５ａの先端を折曲して内側面１２ａａに略平行に伸びる補正部１５ｂとから成る。
【００１６】
仮止片１６は、収納時のＦＰＣ３を凹部１７内に仮止すべく、凹部１７内に向かって突出している。仮止片１６は、補正片１５が設けられた側壁１２ａの対面であって、ＦＰＣ３収納時にＦＰＣ３の後述する収納側部３２ａが対面して近接する側壁１２ａに設けられている。仮止片１６は、該側壁１２ａより連続して斜め下方に立ち上がる弾性変形可能な摺動部１６ａと、該摺動部１６ａの先端を折曲して該内側面１２ａａに略平行に伸びる収納部１６ｂとから成る。ＦＰＣ３収納過程において摺動部１６ａは、ＦＰＣ３が当接しても弾性変位によって凹部１７から退出可能となっている。ＦＰＣ３の収納完了時において収納部１６ｂは、摺動部１６ａの弾性復帰によって孔３７に進入可能となっている。
【００１７】
ＦＰＣ３は、主として薄板帯状の可撓性絶縁部材によって形成され、接触によって電気的接続を図ることができる導電性の電極３３と、該電極３３に各々接続された配線（図示せず）を配して成る。またＦＰＣ３は、底壁１２ｂに略平行に載置された状態で凹部１７に収納可能な収納載置部３１と、内側面１２ａａに沿う様に接した状態で凹部１７に収納可能な収納側部３２ａを有する伸長部３２とに、略９０度に折曲加工されて成っている。伸長部３２は、カメラモジュール２と接続する相手側機器（図示せず）に接続される為冗長に伸びている。また、収納載置部３１は内底面１２ｂｂより一回りやや小さい面とし、収納側部３２ａは内側面１２ａａより一回りやや小さい面となっており、これらの連通する収納載置部３１及び収納側部３２aの裏面３９は、収納、装着時に内底面１２bb及び内側面１２aaに対面して近接もしくは接する。よって、ＦＰＣ３は、凹部１７に収納するのに充分、かつ、収納後に位置ズレが起き難い、凹部１７にはまる形状になっている。収納載置部３１の表面３８に設けられる電極３３は、カメラモジュール２の電極２３と同数かつ略同じ配置で設けられる。詳しくは、電極３３は、装着したカメラモジュール２の対応する電極２３と各々上方もしくは下方投影で重なる位置に設けている。ＦＰＣ３は、凹部１７に収納、装着している時に、内側面１２ａａに設けられた仮止片１６の収納部１６ｂを進入可能とする孔３７が設けられている。
【００１８】
よって、押圧部１３ｂとカメラモジュール２の電極２３とＦＰＣ３の電極３３は、カメラモジュール２とＦＰＣ３装着時に各々上方もしくは下方投影で重なる位置に設けている。
【００１９】
図４の通り本発明に用いるカメラモジュール２は、正面側に露出して光を取り込むレンズ２２、該レンズ２２から取り込んだ光を画像情報として処理する撮像素子（図示せず）、電極２３、鍔部２４とを備える。電極２３は、前記撮像素子の画像信号を出力可能にしており、カメラモジュール２の底面２５に配されている。鍔部２４は、底面２５から垂直に立ち上がり、互いに平行する側面２６に配され、該鍔部２４の表面は、ソケット１に装着した際に係止面１４ｂが係合する被係止部２４ａである。
【００２０】
ソケット１へのＦＰＣ３の収納及びカメラモジュール２の装着について以下に述べる。初めに、ＦＰＣ３を凹部１７に
収納する。表面３８を上（図６において上）に向けた状態で、開口１７ａに収納載置部３１を臨ませ、対応する電極３３と押圧部１３ｂが対面する状態で、凹部１７に挿入する。ＦＰＣ３の可撓性、摺動部１４ａ、摺動部１５ａ、摺動部１６ａの弾性変位によって、係止片１４、補正片１５、仮止片１６にひっかかっても容易に凹部１７に収納することができる。収納後、補正部１５ｂは、収納載置部３１の上方変位を妨げて仮止めをする。ＦＰＣ３の電極３３と押圧部１３ｂが各々裏面３９を介して重なり、ＦＰＣ３は凹部１７に収納される。
【００２１】
次に、カメラモジュール２を凹部１７内に収納する。カメラモジュール２の底面２５を開口１７ａに臨ませ、対応する電極２３とＦＰＣ３の電極３３が対面する状態で凹部１７に挿入をする。カメラモジュール２を装着する中途過程で、カメラモジュール２の電極２３とＦＰＣ３の電極３３が各々当接するので、弾性変形部１３ａの弾性力に反して挿入を進める。
【００２２】
カメラモジュール２が凹部１７に挿入されるに従い、鍔部２４も凹部１７に挿入され、鍔部２４が係止片１４の摺動部１４ａに当接する。更にカメラモジュール２を挿入すると、鍔部２４は傾斜部１４ａａを下方に滑りながら摺動部１４ａを押圧し、摺動部１４ａが図７（ａ）の通り凹部１７から退出する方向に変位する。補正片１５の摺動部１５ａは、カメラモジュール２の挿入を案内する。
【００２３】
該退出方向に変位した摺動部１４ａの上を鍔部２４が滑り降りると、鍔部２４の摺動部１４ａへの押圧が解除され、係止片１４が元の位置に変位し、係止面１４ｂが被係止部２４ａの表面に当接することにより係止される。よって、弾性変形部１３ａがＦＰＣ３を介してカメラモジュールを上方付勢しても、カメラモジュール２は凹部１７から排出されない。また、突出片１３の押圧部１３ｂと係止片１４の係止面１４ｂが、カメラモジュール２及び収納載置部３１を挟持している。突出片１３に裏面３９を対面させて載置した上に、互いの電極２３と電極３３を対面させて接した状態で装着している。カメラモジュール２の電極２３とＦＰＣ３の電極３３を直に弾性接触させることによって電気的に接続させ、カメラモジュール２及びＦＰＣ３の装着は完了する。
【００２４】
突出片１３は、互いに絶縁させる為に別部材で形成する必要は無く、ハウジングのような絶縁性樹脂などに保持させる必要も無い。更に、ＦＰＣ３とカメラモジュール２を直に接続させているので、電気的接続の安定性を保つ為のめっき処理は必要無い。
【００２５】
また、ソケット１は、ケース１２、突出片１３、係止片１４、補正片１５、全てを同一部材のプレス加工で一体形成できる。よって、前述のごとく絶縁性樹脂に別部材からなるコンタクト等を組み込む必要が無く、組立による寸法のばらつきも発生しないので、カメラモジュール２やＦＰＣ３を精度良く組み込むことができ、製品不良の発生率も下げることができる。また、導電性金属材だけでソケット１を作成可能なので、廃棄が容易である。
【００２６】
更に、装着時のＦＰＣ３は、収納載置部３１が収納側部３２に対して約９０度曲がった状態で突出片１３とカメラモジュール２に挟持され、孔３７に仮止片１６が進入して仮止めしているので、収納側部３２が不用意に引っ張られても抜け難い。また、装着されたカメラモジュール２は、冶具等を用いて摺動部１４ａを凹部１７から退出させる方向に変位させれば、係止部１４と被係止部２４ａの係合が外れ、突出片１３の上方の弾性付勢によってＦＰＣ３とカメラモジュール２が排出され、容易にカメラモジュール２及びＦＰＣ３を分解できる。よって、ソケット１、カメラモジュール２、ＦＰＣ３のいずれに故障が生じた場合でも、簡単に外して交換が可能であって、リサイクル性、分別廃棄に優れている。
【００２７】
次に、この発明の第２の実施形態について説明する。カメラモジュール２は実施例１と同様のものを用い、この発明の第２実施形態に用いるＦＰＣの正面図を表す図５（ｃ）、同ＦＰＣの底面図を表す図５（ｄ）、この発明の第２実施形態のソケットの正面図を表す図８（ａ）、同ソケットの背面図を表す図８（ｂ）、同ソケットの平面図を表す図８（ｃ）（底面図は平面図と対象に表れるので省略）、同ソケットの右側面図を表す図８（ｄ）（左側面図は右側面図と対象に表れるので省略）、同ソケットの上方斜視図を表す図９（ａ）、同ソケットの下方斜視図を表す図９（ｂ）、図８（ａ）に記載されるＡ−Ａ断面を表す図１０（ａ）、図８（ａ）に記載されるＢ−Ｂ断面を表す図１０（ｂ）、図８（ａ）に記載されるＣ−Ｃ断面を表す図１０（ｃ）、同ソケットに同ＦＰＣ収納時における図８（ａ）記載のＡ−Ａ断面図を表す図１１（ａ）、該収納時における図８（ａ）記載のＢ−Ｂ断面図を表す図１１（ｂ）、同ソケットへの同カメラモジュール装着状態における図８（ａ）記載のＡ−Ａ断面図を表す図１２（ａ）、該装着時における同図Ｂ−Ｂ断面図を表す図１２（ｂ）に基づいて以下に説明する。
【００２８】
図１に表す１は、ソケットである。該ソケット１は、電子部品の一種であるカメラモジュール２と配線基板の一種であるＦＰＣ３とを電気的に接続するものであって、ケース１２、突出片１３、係止片１４、補正片１５及び仮止片１６とからなる。
【００２９】
ケース１２は、導電性金属板をプレス加工したものに例えばニッケルめっき等の防錆性や防腐性のあるめっき処理を行ったものであって、主に底壁１２ｂと該底壁１２ｂから略垂直に立ち上がる４つの側壁１２ａとの５つの壁からなる箱形状を成している。凹部１７は、側壁１２ａの内側面１２ａａと底壁１２ｂの内底面１２ｂｂとによって囲われた空間であって、上方に開口する開口１７ａによって外部に開口し、カメラモジュール２及びＦＰＣ３を収納できる収納空間となる。ここで上方は、図面で定義している背面から正面に垂直に向かう方向である。下方は、図面で定義している正面から背面に垂直に向かう方向である。
【００３０】
突出片１３は、カメラモジュール２の後述する電極２３と同数設けられており、底壁１２ｂを略コ字状に各々切り欠いて折曲し、底壁１２ｂから凹部１７内に向かって突出している。突出片１３は、底壁１２ｂから連続して斜め上方に立ち上がった弾性変形部１３ａと、弾性変形部１３ａの略先端に位置する押圧部１３ｂとから成る。    押圧部１３ｂは、装着したカメラモジュール２の後述する底面２５とによって、ＦＰＣ３の後述する収納載置部３１を挟持可能としている。更に押圧部１３ｂは、装着したカメラモジュール２の後述する電極３３と上方もしくは下方投影で重なる位置に設けているので、押圧部１３ｂは、収納載置部３１を介して電極２３を押圧可能としている。
【００３１】
係止片１４は、側壁１２ａを略コ字状に切り欠いて折曲し、側壁１２ａから凹部１７内に向かって突出しており、装着したカメラモジュール２に係合するものである。係止片１４は、側壁１２ａから連続して斜め下方に向かって立ち上がる弾性変形可能な摺動部１４ａと、カメラモジュール２の後述する被係止部２４ａに係合可能な係止面１４ｂとから成る。摺動部１４ａは、凹部１７において下方に向かうに従って突出量が大きくなる傾斜部１４ａａを成し、最も突出する部位から折曲され、係止面１４ｂと連通している。
【００３２】
仮止片１６は、収納時のＦＰＣ３を凹部１７に仮止めすべく位置決めさせるものであって、凹部１７内に向かって突出している。仮止片１６は、対向する一対の側壁１２ａから連続して斜め下方に向かって立ち上がる弾性変形可能な摺動部１６ａと、該摺動部１６ａの先端を折曲して内側面１２ａａに略平行に伸びる収納部１６ｂとから成る。ＦＰＣ３収納過程において摺動部１６ａは、ＦＰＣ３が当接しても弾性変位によって凹部１７から退出可能となっている。ＦＰＣ３の収納完了時において収納部１６ｂは、摺動部１６ａの弾性復帰によって孔３７に進入した状態を保っている。
【００３３】
係止片１４は、一対の対面する側壁１２ａにそれぞれ二つずつ設けられている。仮止片１６は、前記係止片１４が設けられた側壁１２ａと直交関係にある二つの側壁１２ａにそれぞれ二つずつ設けられる。
【００３４】
ＦＰＣ３は、主として薄板帯状の可撓性絶縁部材によって形成され、接触によって電気的接続を図ることができる導電性の電極３３と、該電極３３に各々接続された配線（図示せず）を配して成る。またＦＰＣ３は、カメラモジュール２と接続する相手側機器（図示せず）に接続可能である冗長な掛け部３５ａと、該掛け部３５ａを下方に略９０度に折曲した第一収納側部３５と、該第一収納側部３５を上方に略９０度に折曲した収納載置部３１と、該収納載置部３１を上方に略９０に折曲した第二収納側部３６と、該第二収納側部３６を下方に略９０度に折曲した掛け部３６ａとに折曲加工されて成る。また収納載置部３１は内底面１２ｂｂより一回りやや小さい面とし、第一収納側部３５は内側面１２ａａより一回りやや小さい面とし、第二収納側部３６は内側面１２ａａより一回りやや小さい面としており、これらの連通する収納載置部３１と第一収納側部３５と第二収納側部３６の裏面３９は、収納、装着時に内底面１２bbと一対の対面関係にある内側面１２aaに各々対面して近接もしくは接する。よって、ＦＰＣ３は、凹部１７に収納するのに充分、かつ、収納後に位置ズレが起き難い、凹部１７にはまる形状になっている。
【００３５】
これらの連通する収納載置部３１と第一収納側部３５と第二収納側部３６の表面３８は、カメラモジュール２を収納して装着可能とする空間を囲む。また、掛け部３５ａと第一収納側部３５の外角のカーブ形状及び掛け部３６ａと第二収納側部３６の外角のカーブ形状は、カメラモジュール２の挿入を案内できる。また掛け部３５ａの第一収納側部３５側の内角面及び掛け部３６ａの第二収納側部３６側の内角面は、カメラモジュール２装着時にケース１２の開口１７ａ側端部に引っかかるようになっている。更に、掛け部３５ａ、３６ａは、凹部１７に装着する際に、引っ掛けたり、摘んだりすることができ、装着し易い。収納載置部３１の表面３８に設けられる電極３３は、カメラモジュール２の電極２３と同数かつ略同じ配置で設けられる。詳しくは、電極３３は、装着したカメラモジュール２の対応する電極２３と各々上方もしくは下方投影で重なる位置に設けている。  ＦＰＣ３は、凹部１７に収納、装着している時に、収納部１６ｂを各々進入可能とする一対の孔３７，３７が設けられている。
【００３６】
よって、ＦＰＣ３を収納してカメラモジュール２を装着すると、押圧部１３ｂとカメラモジュール２の電極２３とＦＰＣ３の電極３３は、各々上方もしくは下方投影で重なる位置に設けている。
【００３７】
図４の通り本発明に用いるカメラモジュール２は、正面側に露出して光を取り込むレンズ２２、該レンズ２２から取り込んだ光を画像情報として処理する撮像素子（図示せず）、電極２３、鍔部２４とを備える。電極２３は、前記撮像素子の画像信号を出力可能にしており、カメラモジュール２の底面２５に配されている。鍔部２４は、底面２５から垂直に立ち上がり、互いに平行する側面２６に配され、該鍔部２４の表面は、ソケット１に装着した際に係止面１４ｂが係合する被係止部２４ａである。
【００３８】
ソケット１へのＦＰＣ３の収納及びカメラモジュール２の装着について以下に述べる。初めに、ＦＰＣ３を凹部１７に収納する。表面３８を上（図６において上）に向けた状態で、開口１７ａに収納載置部３１を臨ませ、対応する電極３３と押圧部１３ｂが対面する状態で、凹部１７に挿入して収納する。掛け部３５a,３６aを同時に摘むか、第一収納側部３５、第二収納側部３６を外方に押し広げるか、もしくは掛け部３５a,３６aの裏面３９を引っ掛けることによって、FPC3を保持し、凹部１７に挿入する。この時、ＦＰＣ３を撓ませてＦＰＣ３の下方側を若干小さくなる様に変形させて挿入すると収納や装着がやり易い。該保持を解除すると、可撓性によってFPC3は形状復帰し、第一収納側部３５及び第二収納側部３６が、一対の対面関係にある内側面１２aaに各々対面して近接もしくは接する。更に、掛け部35a,36aもしくは／
かつ収納載置部３１の表面３８を押し込むと収納は完了する。この時、収納部１６ｂはＦＰＣ３の孔３７に進入するので、収納部１６ｂの下方と孔３７の下方が係止可能となって上方変位を妨げる。収納完了時には、ＦＰＣ３の電極３３と押圧部１３ｂが各々裏面３９を介して重なっている。また、ＦＰＣ３の可撓性、摺動部１４ａ及び摺動部１６ａの弾性変位によって、摺動部１４や仮止片１６に引っかからずに容易に凹部１７に収納することができる。
【００３９】
次に、カメラモジュール２を凹部１７内に装着する。カメラモジュール２の底面２５を開口１７ａに臨ませ、対応する電極２３とＦＰＣ３の電極３３が対面する状態で凹部１７に挿入をする。カメラモジュール２を装着する中途過程で、カメラモジュール２の電極２３とＦＰＣ３の電極３３が各々当接するので、弾性変形部１３ａの弾性力に反して挿入を進める。
【００４０】
カメラモジュール２が凹部１７に挿入されるに従い、鍔部２４も凹部１７に挿入され、鍔部２４が係止片１４の摺動部１４ａに当接する。更にカメラモジュール２を挿入すると、鍔部２４は傾斜部１４ａａを下方に滑りながら摺動部１４ａを押圧し、摺動部１４ａが図７（ａ）の通り凹部１７から退出する方向に変位する。
【００４１】
該退出方向に変位した摺動部１４ａの上を鍔部２４が滑り降りると、鍔部２４の摺動部１４ａへの押圧が解除され、係止片１４が元の位置に変位し、係止面１４ｂが被係止部２４ａの表面に当接することにより係止される。よって、弾性変形部１３ａがＦＰＣ３を介してカメラモジュールを上方付勢しても、カメラモジュール２は凹部１７から排出されない。また、突出片１３の押圧部１３ｂと係止片１４の係止面１４ｂが、カメラモジュール２及び収納載置部３１を挟持している。係止片１３に裏面３９を対面させて載置した上に、互いの電極２３と電極３３を対面させて接した状態で装着している。カメラモジュール２の電極２３とＦＰＣ３の電極３３を直に弾性接触させることによって電気的に接続させ、カメラモジュール２及びＦＰＣ３の装着は完了する。カメラモジュール２は、連通する収納載置部３１と第一収納側部３５と第二収納側部３６の表面３８に収納されて、ソケット１に装着されている。
【００４２】
FPC3とカメラモジュール２は、別々に収納、装着したが、予めカメラモジュール２を、連通する収納載置部３１と第一収納側部３５と第二収納側部３６の表面３８に収納して、FPC3とカメラモジュール２を同時に装着しても良く、ＦＰＣ３を係止面１４bより上方の開口１７a近辺に仮入れし、連通する収納載置部３１と第一収納側部３５と第二収納側部３６の表面３８にカメラモジュール２を挿入し、カメラモジュール２を下方に押し込んで、FPC3とカメラモジュール２を同時に収納及び装着を完了しても良い。凹部１７に装着される部位である収納載置部３１及び第一収納側部３５と第二収納側部３６が、収納載置部３１の両側から略垂直に立ち上がる形状であるので、FPC3の可撓性を利用して容易に収納、装着ができる。
【００４３】
突出片１３は、絶縁性を保つ為に別部材で形成する必要は無く、絶縁性樹脂などに保持させる必要も無い。更に、ＦＰＣ３とカメラモジュール２を直に接続させているので、電気的接続の安定を保つ為のめっき処理は必要無い。
【００４４】
また、ソケット１は、ケース１２と突出片１３、係止片１４、補正片１５、仮止片１６、全てを同一部材のプレス加工で一体形成できる。よって、前述のごとく絶縁性樹脂に別部材からなるコンタクト等を組み込む必要が無く、組立による寸法のばらつきが発生しないので、カメラモジュール２やＦＰＣ３を精度良く組み込むことができ、製品不良の発生率も下げることができる。また、導電性金属材だけでソケット１を作成可能なので、廃棄が容易である。
【００４５】
更に、装着時のＦＰＣ３は、収納載置部３１が第一収納側部３５及び第二収納側部３６に対して約９０度曲がった状態で突出片１３とカメラモジュール２に挟持され、孔３７に仮止片１６が進入して仮止めしているので、収納側部３２が不用意に引っ張られても抜け難い。また、装着されたカメラモジュール２は、冶具等を用いて摺動部１４ａを凹部１７から退出させる方向に変位させれば、係止部１４と被係止部２４ａの係合が外れ、弾性変形部１３ａの弾性力によってカメラモジュール２が排出され、容易にカメラモジュール２とＦＰＣ３を分解できる。よって、ソケット１、カメラモジュール２、ＦＰＣ３のいずれに故障が生じた場合でも、簡単に外して交換が可能であって、リサイクル性、分別廃棄に優れている。  
【００４６】
また、掛け部３５ａと掛け部３６ａは第一収納側部３５と第二収納側部３６との内角が略９０度となる様に折曲して形成されているが、これに限らず例えば１３０度としても良い。この場合、カメラモジュール２装着において呼び込み形状となり凹部１７に挿入し易い。  
【００４７】
第一、第二実施形態においては、突出片１３と係止片１４の他に補正片１５、仮止片１６があるが、突出片１３と係止片１４が少なくとも備わっていれば良い。また、係止片に補正片、仮止片の機能を持たせても良い。例えば、係止片をＦＰＣの孔３７に進入、貫通させて、凹部１７内に突出させても良い。  
【００４８】
また、突出片１３を底壁１２ｂに設け、係止片１４、補正片１５、仮止片１６を側壁１２aに設けたが、これに限られることは無い。例えば、突出片１３、係止片１４、補正片１５、仮止片１６を全て側壁１２aに設けても良い。更に、突出片１３を側壁１２aもしくは底壁１２bの複数の壁に亘って配置しても良い。例えば、突出片１３を隣り合う二つの側壁１２aに設けても良い。収納載置部３１が直交する２面に折曲されており、FPC3が収納され装着された時に該収納載置部３１が、４つの側壁１２aと底壁１２ｂのうち隣り合った二つの壁に対面して近接もしくは接し、カメラモジュール２が収納され装着された時に電極２３が、前述の二つの壁に対面して近接もしくは接しており、突出片１３とカメラモジュール２及びＦＰＣ３の電極２３、３３が、FPC3及びカメラモジュール２を収納して装着したときに各々所定の投影で重なる様、略同一に配置されており、係止片１４がカメラモジュール２を係止し、カメラモジュール２の脱落を防いで凹部１７に収納させることができれば、ソケットとしてＦＰＣ３とカメラモジュール２を接続して装着することができる。
【図面の簡単な説明】
【００４９】
【図１】（ａ）この発明に係る第一実施形態のソケットの正面図 、（ｂ）同ソケットの背面図 、（ｃ）同ソケットの図１（ａ）の平面図 、（ｄ）同ソケットの右側面図
【図２】（ａ）同ソケットの上方斜視図、（ｂ）同ソケットの下方斜視図
【図３】（ａ）同ソケットの図１（ａ）記載のＡ−Ａ断面、（ｂ）同ソケットの図１（ａ）記載のＢ−Ｂ断面図、（ｃ）同ソケットの図１記載のＣ−Ｃ断面図
【図４】（ａ）同ソケットに装着されるカメラモジュールの正面図、（ｂ）同カメラモジュールの右側面図、（ｃ）同カメラモジュールの配面図
【図５】（ａ）第一実施形態のＦＰＣの正面図、（ｂ）同ＦＰＣの底面図、（ｃ）第二実施形態のＦＰＣの正面図、（ｄ）同ＦＰＣの底面図
【図６】（ａ）第一実施形態における同ソケットへの同ＦＰＣ収納時における図１（ａ）記載のＡ−Ａ断面図、（ｂ）同ＦＰＣ収納時における図１（ａ）記載のＢ−Ｂ断面図
【図７】（ａ）第一実施形態における同ソケットへの同カメラモジュール装着過程における図１（ａ）記載のＣ−Ｃ断面図、（ｂ）第一実施形態における同ソケットへの同カメラモジュール装着完了時における図１（ａ）記載のＢ−Ｂ断面図
【図８】（ａ）この発明に係る第二実施形態のソケットの正面図 、（ｂ）同ソケットの背面図 、（ｃ）同ソケットの図８（ａ）の平面図 、（ｄ）同ソケットの右側面図
【図９】（ａ）同ソケットの上方斜視図、（ｂ）同ソケットの下方斜視図
【図１０】（ａ）同ソケットの図８（ａ）記載のＡ−Ａ断面、（ｂ）同ソケットの図８（ａ）記載のＢ−Ｂ断面図、（ｃ）同ソケットの図８記載のＣ−Ｃ断面図
【図１１】（ａ）第二実施形態のＦＰＣを同ソケットに収納した際の図８（ａ）記載のＡ−Ａ断面図、（ｂ）同収納時における図８（ａ）記載のＢ−Ｂ断面図
【図１２】（ａ）第二実施形態の同ソケットへの同カメラモジュール装着時における図８（ａ）記載のＡ−Ａ断面図、（ｂ）第一実施形態の同ソケットへの同カメラモジュール装着時における図８（ａ）記載のＢ−Ｂ断面図
【図１３】従来技術のソケットの中央断面図
【符号の説明】
【００５０】
１  ソケット  １２  ケース    １２ａ  側壁      １２ａａ  内側面    １２ｂ  底壁      １２ｂｂ  内底面  １３  突出片    １３ａ  弾性変形部１３ｂ  押圧部  １４  係止片    １４ａ  摺動部      １４ａａ  傾斜部    １４ｂ  係止面  １５  補正片    １５ａ  摺動部    １５ｂ  補正部１６  仮止片    １６ａ  摺動部    １６ｂ  収納部  １７  凹部    １７ａ  開口２  カメラモジュール２２  レンズ  ２３  電極  ２４  鍔部    ２４ａ  被係止部  ２５  底面  ２６  側面３  ＦＰＣ  ３１  収納載置部３２  伸長部  ３２ａ  収納側部３３  電極  ３５  第一収納側部    ３５ａ  掛け部  ３６  第二収納側部    ３６ａ  掛け部  ３７  孔  ３８  表面  ３９  裏面１０１  ソケット  １０２  ハウジング  １０３  コンタクト    １０３ａ  接触部  １０４  係止片    １０４ａ  摺動部    １０４ｂ  係止面  １０７  凹部
【図１】
2008277187.tif 000003
【図２】
2008277187.tif 000004
【図３】
2008277187.tif 000005
【図４】
2008277187.tif 000006
【図５】
2008277187.tif 000007
【図６】
2008277187.tif 000008
【図７】
2008277187.tif 000009
【図８】
2008277187.tif 000010
【図９】
2008277187.tif 000011
【図１０】
2008277187.tif 000012
【図１１】
2008277187.tif 000013
【図１２】
2008277187.tif 000014
【図１３】
2008277187.tif 000015